(57)【要約】【課題】  書籍が許可なく不正にコピーが行われることを防止し、また、コピー申し込み用紙に利用者の個人情報や書籍情報を記入して出力できる画像形成装置を提供する。【解決手段】  書籍１に貼付されたＲＦＩＤタグ１０にはコピー許可情報と書籍情報を記録し、図書館等が発行する利用者ＩＤカード３０には利用者の個人情報をバーコードにより記録する。また、画像形成装置１００にはＲＦＩＤリーダ／ライタ１０１とバーコードリーダ１１０を搭載する。そして、利用者が書籍１をコピーする際に、ＲＦＩＤタグ１０のコピー許可情報と書籍情報を画像形成装置１００で読み取り、コピー許可の場合はコピー処理を行い、不許可の場合はコピー申込み用紙を印字する。また、コピー申し込み用紙を印字する場合は、書籍情報と利用者ＩＤカード３０から読み取った個人情報とを記入して印字する。【選択図】  図１
2006153920.tif 000002
【特許請求の範囲】
【請求項１】
刊行物に貼付されたＲＦＩＤタグ中の情報を読み取るＲＦＩＤリーダ／ライタを備えると共に、前記刊行物のコピー画像を印字する画像形成装置であって、
前記ＲＦＩＤリーダ／ライタにより、前記ＲＦＩＤタグに予め記録された当該刊行物の書籍情報とコピー許可情報を読み取るＲＦＩＤタグ読取手段と、
前記ＲＦＩＤタグ読取手段により読み取ったコピー許可情報を基に、当該刊行物のコピーを許可するかどうかを判定するコピー許可判定手段と、
前記コピー許可判定手段によりコピーを許可しないと判定した場合に、前記ＲＦＩＤタグから読み取った書籍情報を記入したコピー申し込み用紙を印字するコピー申込用紙印字手段と
を備えることを特徴とする画像形成装置。
【請求項２】
前記コピー許可判定手段によりコピー許可と判定された場合には、コピー申し込み用紙を印字することなく、前記刊行物のコピー画像を印字する手段を
備えることを特徴とする請求項１に記載の画像形成装置。
【請求項３】
刊行物に貼付されたＲＦＩＤタグ中の情報を読み取るＲＦＩＤリーダ／ライタと、利用者ＩＤカードのバーコードを読み取るバーコードリーダとを備えると共に、前記刊行物のコピー画像を印字する画像形成装置であって、
前記ＲＦＩＤリーダ／ライタにより、前記ＲＦＩＤタグに予め記録された当該刊行物の書籍情報とコピー許可情報を読み取るＲＦＩＤタグ読取手段と、
前記バーコードリーダにより、前記利用者ＩＤカードに予め記録された利用者の個人情報を読み取る利用者ＩＤカード読取手段と、
前記ＲＦＩＤタグ読取手段により読み取ったコピー許可情報を基に、当該刊行物のコピーを許可するかどうかを判定するコピー許可判定手段と、
前記コピー許可判定手段によりコピーを許可しないと判定した場合に、前記利用者ＩＤカードから読み取った利用者の個人情報と、前記ＲＦＩＤタグから読み取った書籍情報とを記入したコピー申し込み用紙を印字するコピー申込用紙印字手段と
を備えることを特徴とする画像形成装置。
【請求項４】
前記利用者ＩＤカードが提示されず、利用者ＩＤカードの情報が読み取れない場合には、前記コピー申し込み用紙には、書籍情報のみを記入して印字する手段を備えること
を特徴とする請求項３に記載の画像形成装置。
【請求項５】
刊行物に貼付されたＲＦＩＤタグ中の書籍情報とコピー許可情報とを読み取るＲＦＩＤリーダ／ライタを備えると共に前記刊行物のコピー画像を印字する画像形成装置と、利用者のコピー申し込み受付場所に配置され前記ＲＦＩＤタグのコピー許可情報を不許可から許可に書き換えるコピー許可書込リーダ／ライタと、前記刊行物が所定の位置に戻された場合に前記ＲＦＩＤ中のコピー許可情報を許可から不許可に書き換えるコピー許可取消リーダ／ライタとで構成される不正コピー防止システムであって、
前記画像形成装置には、
前記ＲＦＩＤリーダ／ライタにより、前記ＲＦＩＤタグに予め記録された当該刊行物の書籍情報とコピー許可情報を読み取るＲＦＩＤタグ読取手段と、
前記ＲＦＩＤタグ読取手段により読み取ったコピー許可情報を基に、当該刊行物のコピーを許可するかどうかを判定するコピー許可判定手段と、
前記コピー許可判定手段によりコピーを許可しないと判定した場合に、前記ＲＦＩＤタグから読み取った書籍情報を記入したコピー申し込み用紙を印字するコピー申込用紙印字手段と
を備えることを特徴とする不正コピー防止システム。
【請求項６】
刊行物に貼付されたＲＦＩＤタグ中の書籍情報とコピー許可情報とを読み取るＲＦＩＤリーダ／ライタと利用者ＩＤカードのバーコードを読み取るバーコードリーダとを備えると共に前記刊行物のコピー画像を印字する画像形成装置と、利用者のコピー申し込み受付場所に配置され前記ＲＦＩＤタグのコピー許可情報を不許可から許可に書き換えるコピー許可書込リーダ／ライタと、前記刊行物が所定の位置に戻された場合に前記ＲＦＩＤ中のコピー許可情報を許可から不許可に書き換えるコピー許可取消リーダ／ライタとで構成される不正コピー防止システムであって、
前記画像形成装置には、
前記ＲＦＩＤリーダ／ライタにより、前記ＲＦＩＤタグに予め記録された当該刊行物の書籍情報とコピー許可情報を読み取るＲＦＩＤタグ読取手段と、
前記バーコードリーダにより、前記利用者ＩＤカードに予め記録された利用者の個人情報を読み取る利用者ＩＤカード読取手段と、
前記ＲＦＩＤタグ読取手段により読み取ったコピー許可情報を基に、当該刊行物のコピーを許可するかどうかを判定するコピー許可判定手段と、
前記コピー許可判定手段によりコピーを許可しないと判定した場合に、前記利用者ＩＤカードから読み取った利用者の個人情報と、前記ＲＦＩＤタグから読み取った書籍情報とを記入したコピー申し込み用紙を印字するコピー申込用紙印字手段と
を備えることを特徴とする不正コピー防止システム。
【発明の詳細な説明】
【技術分野】
【０００１】
本発明は、複写機等の画像形成装置、および不正コピー防止システムに関し、特に、著作権が有効な刊行物について、図書館で許可なく不正にコピーが行われることを防止できる、画像形成装置、および不正コピー防止システムに関する。
【背景技術】
【０００２】
近時、非接触ＩＣタグであるＲＦＩＤ（Radio Frequency Identification）を個々の物品（例えば、書籍等の刊行物）に貼付し、個々の物品に固有な情報をＲＦＩＤタグに記録して、これらの個々の物品の利用状況の管理を行なう技術が開発されている。
【０００３】
このＲＦＩＤタグを利用した従来技術として、図書館、情報ライブラリ等の自動化システムに関する発明が開示されている（例えば、特許文献１参照）。
この特許文献１の従来技術は、ＲＦＩＤタグを収蔵品に貼り付けて識別を行い、貸出/返却業務、収蔵管理/業務、不正持ち出し監視業務を省略することを目的とした技術である。
【特許文献１】特開２００３−２１６７４４号公報
【発明の開示】
【発明が解決しようとする課題】
【０００４】
ところで、図書館における書籍等の刊行物には、著作権法により自由なコピーが許可されていない書籍等の刊行物があり、このような刊行物については、通常、利用者がコピー申し込み用紙に書籍名、コピー対象ページ、利用日時、利用者氏名等の必要事項を記入し、図書館の職員に提出してコピーの許可をもらう必要がある。この場合、図書館にもよるが、コピーを行うのは職員の場合もあれば、利用者自身の場合もある。しかし利用者自身がコピーを行う場合は図書館の許可なくコピーを行うことも可能であり問題となっていた。
【０００５】
また、特許文献１の従来の技術では、ＲＦＩＤタグを利用して不正持ち出しを監視することはできても、著作権法によるコピー規制に対しては、それを規制する手段を持たず、著作権法の規定が守られているか否かは、図書館、情報ライブラリ等のコピー係が目視で監視するしか方法がなく、非常に煩わしい作業となっていた。
【０００６】
本発明はこのような問題を解決するためになされたもので、その目的は、図書館等で刊行物が許可なく不正にコピーが行われることを防止でき、また、コピー申込み用紙を発行する場合に、利用者の個人情報および書籍情報を予め記入した状態で出力できる、画像形成装置、および不正コピー防止システムを提供することにある。
【課題を解決するための手段】
【０００７】
本発明は上記課題を解決するためになされたものであり、請求項１に記載の発明は、刊行物に貼付されたＲＦＩＤタグ中の情報を読み取るＲＦＩＤリーダ／ライタを備えると共に、前記刊行物のコピー画像を印字する画像形成装置であって、前記ＲＦＩＤリーダ／ライタにより、前記ＲＦＩＤタグに予め記録された当該刊行物の書籍情報とコピー許可情報を読み取るＲＦＩＤタグ読取手段と、前記ＲＦＩＤタグ読取手段により読み取ったコピー許可情報を基に、当該刊行物のコピーを許可するかどうかを判定するコピー許可判定手段と、前記コピー許可判定手段によりコピーを許可しないと判定した場合に、前記ＲＦＩＤタグから読み取った書籍情報を記入したコピー申し込み用紙を印字するコピー申込用紙印字手段とを備えることを特徴とする画像形成装置である。
これにより、図書館等で刊行物が許可なく不正にコピーが行われることを防止できると共に、コピー申し込み用紙を書籍情報が記入された状態で出力できる。
【０００８】
また、請求項２に記載の発明は、請求項１に記載の画像形成装置において、前記コピー許可判定手段によりコピー許可と判定された場合には、コピー申し込み用紙を印字することなく、前記刊行物のコピー画像を印字する手段を備えることを特徴とする。
これにより、図書館等からコピー許可が与えられた刊行物の通常コピーが可能になる。
【０００９】
また、請求項３に記載の発明は、刊行物に貼付されたＲＦＩＤタグ中の情報を読み取るＲＦＩＤリーダ／ライタと、利用者ＩＤカードのバーコードを読み取るバーコードリーダとを備えると共に、前記刊行物のコピー画像を印字する画像形成装置であって、前記ＲＦＩＤリーダ／ライタにより、前記ＲＦＩＤタグに予め記録された当該刊行物の書籍情報とコピー許可情報を読み取るＲＦＩＤタグ読取手段と、前記バーコードリーダにより、前記利用者ＩＤカードに予め記録された利用者の個人情報を読み取る利用者ＩＤカード読取手段と、前記ＲＦＩＤタグ読取手段により読み取ったコピー許可情報を基に、当該刊行物のコピーを許可するかどうかを判定するコピー許可判定手段と、前記コピー許可判定手段によりコピーを許可しないと判定した場合に、前記利用者ＩＤカードから読み取った利用者の個人情報と、前記ＲＦＩＤタグから読み取った書籍情報とを記入したコピー申し込み用紙を印字するコピー申込用紙印字手段とを備えることを特徴とする画像形成装置である。
これにより、図書館等で刊行物が許可なく不正にコピーが行われることを防止できると共に、コピー申し込み用紙を書籍情報と個人情報が記入された状態で出力できる。
【００１０】
また、請求項４に記載の発明は、請求項３に記載の画像形成装置において、前記利用者ＩＤカードが提示されず、利用者ＩＤカードの情報が読み取れない場合には、前記コピー申し込み用紙には、書籍情報のみを記入して印字する手段を備えることを特徴とする。
これにより、利用者ＩＤカードの提示がされない場合においても、コピー申し込み用紙に書籍情報だけを記入して印字することができる。
【００１１】
また、請求項５に記載の発明は、刊行物に貼付されたＲＦＩＤタグ中の書籍情報とコピー許可情報とを読み取るＲＦＩＤリーダ／ライタを備えると共に前記刊行物のコピー画像を印字する画像形成装置と、利用者のコピー申し込み受付場所に配置され前記ＲＦＩＤタグのコピー許可情報を不許可から許可に書き換えるコピー許可書込リーダ／ライタと、前記刊行物が所定の位置に戻された場合に前記ＲＦＩＤ中のコピー許可情報を許可から不許可に書き換えるコピー許可取消リーダ／ライタとで構成される不正コピー防止システムであって、前記画像形成装置には、前記ＲＦＩＤリーダ／ライタにより、前記ＲＦＩＤタグに予め記録された当該刊行物の書籍情報とコピー許可情報を読み取るＲＦＩＤタグ読取手段と、前記ＲＦＩＤタグ読取手段により読み取ったコピー許可情報を基に、当該刊行物のコピーを許可するかどうかを判定するコピー許可判定手段と、前記コピー許可判定手段によりコピーを許可しないと判定した場合に、前記ＲＦＩＤタグから読み取った書籍情報を記入したコピー申し込み用紙を印字するコピー申込用紙印字手段とを備えることを特徴とする不正コピー防止システムである。
これにより、コピーが許可されていない刊行物については、コピー申し込みを受け付けた図書館等が一時的にコピー許可を与えて利用者にコピーさせることができる。このため、刊行物が許可なく不正にコピーが行われることを防止できる。さらに、コピー申し込み用紙を書籍情報が記入された状態で出力できる。
【００１２】
また、請求項６に記載の発明は、刊行物に貼付されたＲＦＩＤタグ中の書籍情報とコピー許可情報とを読み取るＲＦＩＤリーダ／ライタと利用者ＩＤカードのバーコードを読み取るバーコードリーダとを備えると共に前記刊行物のコピー画像を印字する画像形成装置と、利用者のコピー申し込み受付場所に配置され前記ＲＦＩＤタグのコピー許可情報を不許可から許可に書き換えるコピー許可書込リーダ／ライタと、前記刊行物が所定の位置に戻された場合に前記ＲＦＩＤ中のコピー許可情報を許可から不許可に書き換えるコピー許可取消リーダ／ライタとで構成される不正コピー防止システムであって、前記画像形成装置には、前記ＲＦＩＤリーダ／ライタにより、前記ＲＦＩＤタグに予め記録された当該刊行物の書籍情報とコピー許可情報を読み取るＲＦＩＤタグ読取手段と、前記バーコードリーダにより、前記利用者ＩＤカードに予め記録された利用者の個人情報を読み取る利用者ＩＤカード読取手段と、前記ＲＦＩＤタグ読取手段により読み取ったコピー許可情報を基に、当該刊行物のコピーを許可するかどうかを判定するコピー許可判定手段と、前記コピー許可判定手段によりコピーを許可しないと判定した場合に、前記利用者ＩＤカードから読み取った利用者の個人情報と、前記ＲＦＩＤタグから読み取った書籍情報とを記入したコピー申し込み用紙を印字するコピー申込用紙印字手段とを備えることを特徴とする不正コピー防止システムである。
これにより、コピーが許可されていない刊行物については、コピー申し込みを受け付けた図書館等が一時的にコピー許可を与えて利用者にコピーさせることができる。このため、刊行物が許可なく不正にコピーが行われることを防止できる。さらに、コピー申し込み用紙を書籍情報と個人情報が記入された状態で出力できる。
【発明の効果】
【００１３】
本発明の画像形成装置においては、刊行物に貼付されるＲＦＩＤタグに記録された書籍情報とコピー許可情報とを読み取り、コピーが許可されていない場合は、書籍情報を予め記入したコピー申し込み用紙を印字するようにしたので、これにより、図書館等で刊行物が許可なく不正にコピーが行われることを防止できると共に、コピー申し込み用紙を書籍情報が記入された状態で出力できる。
【００１４】
また、本発明の画像形成装置においては、刊行物に貼付されるＲＦＩＤタグに記録された書籍情報とコピー許可情報とを読み取り、コピーが許可されていると判定した場合は、通常のコピー処理を行えるようにしたので、これにより、図書館等からコピー許可が与えられた刊行物の通常コピーが可能になる。
【００１５】
また、本発明の画像形成装置においては、刊行物に貼付されるＲＦＩＤタグに記録された書籍情報とコピー許可情報とを読み取り、また、利用者ＩＤカードに記録された利用者の個人情報を読み取り、コピーが許可されていないと判定した場合は、書籍情報と利用者の個人情報とを予め記入したコピー申し込み用紙を印字するようにしたので、これにより、図書館等で刊行物が許可なく不正にコピーが行われることを防止できると共に、コピー申し込み用紙を書籍情報と個人情報が記入された状態で出力できる。
【００１６】
また、本発明の画像形成装置においては、利用者ＩＤカードが提示されず、利用者ＩＤカードの情報が読み取れない場合には、コピー申し込み用紙には、書籍情報のみを記入して印字するようにしたので、これにより、利用者ＩＤカードの提示がされない場合においても、コピー申し込み用紙に書籍情報だけを記入して印字することができる。
【００１７】
また、本発明の不正コピー防止システムにおいては、画像形成装置は刊行物のコピーが不許可の場合は書籍情報が記入されたコピー申し込み用紙を印字し、図書館等の受付に配置されたコピー許可書込リーダ／ライタは利用者のコピー申し込みに応じてＲＦＩＤタグのコピー許可情報を不許可から許可に書き換え、本棚等に配置されたコピー許可取消リーダ／ライタは刊行物が戻された時にＲＦＩＤタグのコピー許可情報を許可から不許可に書き換えるようにしたので、これにより、コピーが許可されていない刊行物については、コピー申し込みを受け付けた図書館等が一時的にコピー許可を与えて利用者にコピーさせることができる。このため、刊行物が許可なく不正にコピーが行われることを防止できる。さらに、コピー申し込み用紙を書籍情報が記入された状態で出力できる。
【００１８】
また、本発明の不正コピー防止システムにおいては、画像形成装置は刊行物のコピーが不許可の場合は書籍情報と利用者の個人情報が記入されたコピー申し込み用紙を印字し、図書館等の受付に配置されたコピー許可書込リーダ／ライタは利用者のコピー申し込みに応じてＲＦＩＤタグのコピー許可情報を不許可から許可に書き換え、本棚等に配置されたコピー許可取消リーダ／ライタは刊行物が戻された時にＲＦＩＤタグのコピー許可情報を許可から不許可に書き換えるようにしたので、これにより、コピーが許可されていない刊行物については、コピー申し込みを受け付けた図書館等が一時的にコピー許可を与えて利用者にコピーさせることができる。このため、刊行物が許可なく不正にコピーが行われることを防止できる。さらに、コピー申し込み用紙を書籍情報と個人情報が記入された状態で出力できる。
【発明を実施するための最良の形態】
【００１９】
次に本発明を実施するための最良の形態について図面を参照して説明する。
図１は、本発明の画像形成装置の構成例を示す図であり、本発明に直接関係する部分を示したものである。図１において、ＲＦＩＤリーダ／ライタ（ＲＦＩＤタグ読取手段）１０１は、書籍（刊行物）１に貼り付けられたＲＦＩＤタグ１０に記録された情報を、アンテナ１０１ａを介して電磁波により読み取る。このＲＦＩＤタグ１０には、当該書籍１の書籍情報（書籍名、作者等）、コピー許可情報（著作権の有効無効の情報等）が記録されている。
【００２０】
ＲＦＩＤスキャン部１０２は、ＲＦＩＤリーダ／ライタ１０１を介して、書籍１に貼付されたＲＦＩＤタグ１０をスキャンし（読み取り）、書籍情報、コピー許可情報等を読み取る。コピー許可判定部１０３は、ＲＦＩＤスキャン部１０２により読み取ったＲＦＩＤタグ１０のコピー許可情報から、当該書籍１のコピーが許可されるかどうかを判定する。
【００２１】
コピー申込用紙印字処理部（コピー申込用紙印字手段）１０４は、コピー許可判定部１０３によりコピーが許可されていない書籍について、コピー申し込み用紙を生成し、印字処理部１０５により印字出力する処理を行う。
【００２２】
この場合に、コピー申し込み用紙の印字を行うかどうかの確認情報を入出力部１０６中の表示部１０６ａに表示し、利用者はコピー申し込み用紙の印字を行うかどうかを選択する。なお、表示画面の例については後述する。
【００２３】
また、コピー申込用紙印字処理部１０４は、コピー申し込み用紙を印字する際に、図書館等が利用者に対して発行した利用者ＩＤカード（図書館カード）３０が提示された場合は、この利用者ＩＤカード３０に印刷されたバーコード（利用者の個人情報または利用者に識別情報が記録されている）をバーコードリーダ（利用者ＩＤカード読取手段）１１０により読み取る処理も行う。このコピー申込用紙印字処理部１０４で生成された「コピー申し込み用紙」は、印字処理部１０５により印字される。
【００２４】
印字処理部１０５では、コピー申込用紙印字処理部１０４で生成された「コピー申し込み用紙」の印字処理を行う他、書籍１のページをスキャナ１０２ａで読み取った画像の印字（通常のコピー処理）を行う。
【００２５】
このように、本発明の画像形成装置１００においては、書籍１に貼りつけたＲＦＩＤタグ１０にコピー許可情報とその書籍名などの情報を記録しておき、また、画像形成装置１００にはＲＦＩＤリーダ／ライタ１０１とバーコードリーダ１１０を搭載しておく。
【００２６】
そして、書籍利用者が書籍１をコピーする際に、書籍１に貼付されたＲＦＩＤタグ１０の書籍情報とコピー許可情報を画像形成装置１００で読み取り、コピー許可されていれば通常のコピー処理を行い、コピーが不許可であればコピー申し込み用紙を印字する。さらに、利用者の利用者ＩＤカード３０から個人情報を読み取り、コピー申し込み用紙に個人情報と書籍情報と予め記入して印字する。
【００２７】
これにより、図書館等で刊行物が許可なく不正にコピーが行われることを防止できる。さらに、コピー申し込み用紙に利用者の個人情報および書籍情報が記入された状態で出力されるので利用者にとって便利である。
【００２８】
また、図２は、刊行物に貼付されるＲＦＩＤタグの例を示す図である。ＲＦＩＤタグ１０には、アンテナ１１とＩＣチップ１２とが埋め込まれ、電磁波を媒体として、画像形成装置のＲＦＩＤリーダ／ライタ１０１とデータの交換を行う。
【００２９】
また、ＩＣチップ１２内には、電源整流部１３、送受信部１４、ＣＰＵ１５、記憶部２０が設けられている。電源整流部１３は、アンテナ１１で受信した電磁波を整流してＩＣチップ１２を駆動する電力を供給する。送受信部１４は、ＲＦＩＤリーダ／ライタ１０１との間で、電磁波によるデータの送受信を行う処理部である。また、ＣＰＵ１５は、ＩＣチップ１２の全体を制御する。
【００３０】
また、記憶部２０には、ＲＦＩＤタグ属性情報（ＲＦＩＤタグの製造メーカ、製造番号、型式などの情報）、書籍情報（書籍名等）２２、コピー許可情報（著作権の有効無効の情報等）２３が記録されている。
【００３１】
また、図３は、本発明の画像形成装置で使用される利用者ＩＤカードの例を示す図である。この利用者ＩＤカード３０は、例えば、大学の中央図書館で利用者に対して発行されるカードであり、図書の貸し出しの際などに、利用者を識別するために提示を求められる利用者ＩＤカード（図書館カード）である。この利用者ＩＤカード３０には、利用者の個人情報（氏名、住所等）がバーコード３１により印刷されている。なお、バーコード３１に記録する情報は、利用者の個人情報そのものである必要はなく、例えば、利用者識別番号を記録しておき、この利用者識別番号と個人情報を関連付けしてデータベースなどに登録しておき、必要に応じてデータベースを参照するようにしてもよい。
【００３２】
また、図４は、本発明の画像形成装置における動作の流れを示すフローチャートであり、本発明を図書館に設備された複写機に適用した場合の処理の流れ示す図である。なお、書籍１に貼付されたＲＦＩＤタグ１０には、書籍情報（書籍名等の書籍情報）と、コピー許可情報（著作権によるコピー許可が必要かどうかの情報）が記録されている。また、図書館が発行した利用者ＩＤカード３０には利用者の個人情報（または利用者識別情報）がバーコード３１により印刷されている。また、複写機にはＲＦＩＤタグ１０を読み取るＲＦＩＤリーダ／ライタ１０１と、利用者ＩＤカード３０に印刷されたバーコード３１を読み取るバーコードリーダ１１０を搭載されている。
【００３３】
図４を参照して、最初に、書籍１を複写機のＲＦＩＤスキャン部１０２に乗せた時点で、ＲＦＩＤタグ１０に記録された情報（書籍情報とコピー許可情報）をＲＦＩＤリーダ／ライタ１０１によりスキャンする（ステップＳ１）。
次に、ＲＦＩＤタグ１０から読み取った書籍情報とコピー許可情報とを基に、当該書籍がコピー許可されたものであるかどうか（または、許可刊行物かどうか）を判定する（ステップＳ２）。コピーが許可されている場合は、通常の印字処理を行う（ステップＳ９）。
【００３４】
ステップＳ２において、コピー不許可の書籍であると判定された場合には、「コピー申し込み用紙印字出力モード」に切り替わり「この書籍をコピーするにはコピー申し込み用紙に必要事項を記入の上カウンターまで書籍と一緒に提出してください。コピー申し込み用紙を印字しますか？」等のメッセージを表示部１０６ａに表示する（ステップＳ３）。図６に表示例を示す。この例では、表示部１０６ａをタッチパネルで構成したものであり、コピー申し込み用紙を印字する場合には、「ＹＥＳ」を選択し、コピー申し込み用紙を印字しない場合には、「ＮＯ」を選択する。
【００３５】
利用者が「ＮＯ：コピー申し込み用紙の印字をしない」を選択した場合にはステップＳ８に移行して処理を終了する。利用者が「ＹＥＳ：コピー申し込み用紙を印字する」を選択した場合には、ステップＳ４に移行する。
【００３６】
ステップＳ４においては、利用者ＩＤカード３０が複写機のバーコードリーダ１１０にセットされたかどうかを判定する。利用者ＩＤカード３０がバーコードリーダ１１０にセットされていない場合は、「利用者ＩＤカードをセットして頂きますと、コピー申し込み用紙に個人情報を記入して印字します」等のメッセージを表示部１０６ａに表示する。
【００３７】
そして、利用者ＩＤカード３０がセットされれば、バーコードリーダ１１０により利用者ＩＤカード３０に印刷されたバーコードを読み取り（ステップＳ５）、バーコードから読み取った利用者の個人情報とＲＦＩＤタグ１０に記録されている書籍名などの情報をコピー申し込み用紙に記入して印字する（ステップＳ７）。
【００３８】
また、利用者ＩＤカード３０がバーコードリーダ１１０にセットされていない場合は、コピー申し込み用紙には、個人情報は記入せず書籍名などを印字する（ステップＳ６）。図７は、コピー申し込み用紙の印字例を示す図であり、利用者ＩＤカード３０から読み取った個人情報（氏名、住所等）と、ＲＦＩＤタグ１０から読み取った書籍名等が印字された例である。
【００３９】
以上説明した画像形成装置における処理手順により、コピー許可がされている書籍については通常のコピーが行われ、コピー許可が必要な書籍について、利用者にコピー申し込み用紙が発行される。また、コピー申し込み用紙を印字する際には、ＲＦＩＤタグ１０から読み取った書籍情報と、利用者ＩＤカード３０から読み取った個人情報とが、予め記入された状態で印刷されるので、利用者は、書籍のコピー対象ページの情報や、未記入箇所に必要項目を補充して記入する。
【００４０】
また、図５は、コピー申し込み用紙の提出から、書籍のコピー、書籍の本棚への返却までの流れを示す図である。
図５を参照して、利用者は申込み書の未記入箇所に必要項目を記入し、受付カウンターの図書館職員に書籍１とコピー申し込み用紙を提出する（ステップＳ１１）。職員は、コピー申し込みを受け付け、書籍１のＲＦＩＤタグ１０に「コピー許可情報」をコピー許可書込リーダ／ライタ２０１により書き込む（ステップＳ１２）。なお、コピー許可書込リーダ／ライタ２０１はＲＦＩＤタグ１０の決まったアドレスに固定のデータを書き込む簡単な装置でよい。
【００４１】
以上の処理が済めば、利用者は画像形成装置１００において書籍をコピーできるようになる（ステップＳ１３）。
また、書籍１のコピー終了後に、再びコピー不許可にするためにはＲＦＩＤタグ１０のコピー許可情報を「許可」から「不許可」に書き直す必要がある。このため、本棚２０３にコピー許可取消リーダ／ライタ２０２を設置しておき、書籍１が本棚２０３に戻されたときにＲＦＩＤタグ１０のコピー許可情報をコピー不許可に書き直す（ステップＳ１４）。
【００４２】
なお、複写機の設置場所にコピー許可取消リーダ／ライタ２０２を設置しておき、複写機から一定の範囲内をコピー許可スペースとして、このコピー許可スペースを離れる時に、ＲＦＩＤタグ１０のコピー許可情報を「許可」から「不許可」に書き換えるなどの方法を用いることもできる。
【００４３】
これにより、コピーが許可されていない書籍１に対しては、利用者のコピー申し込みを受け付けた図書館等が一時的にコピー許可を与えるようにできるので、書籍１が許可なく不正にコピーが行われることを防止できる。さらに、コピー申し込み用紙を書籍情報や個人情報が記入された状態で出力でき、利用者にとって利便性が高い。
【００４４】
以上、本発明の実施の形態について説明したが、上述した画像形成装置１００は内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。
【００４５】
すなわち、画像形成装置１００における、各処理は、ＣＰＵ等の中央演算処理装置がＲＯＭやＲＡＭ等の主記憶装置に上記プログラムを読み出して、情報の加工、演算処理を実行することにより、実現されるものである。
【００４６】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４７】
以上、本発明の実施の形態について説明したが、本発明の画像形成装置は、上述の図示例にのみ限定されるものではなく、本発明の要旨を逸脱しない範囲内において種々変更を加え得ることは勿論である。
【産業上の利用可能性】
【００４８】
本発明は、図書館等で刊行物が許可なく不正にコピーが行われることを防止でき、また、コピー申込み用紙を発行する場合に、利用者の個人情報および書籍情報を予め記入した状態で出力できる効果を奏するので、本発明は、画像形成装置、および不正コピー防止システム等に有用である。
【図面の簡単な説明】
【００４９】
【図１】本発明の画像形成装置の構成例を示す図である。
【図２】刊行物に貼付されるＲＦＩＤタグの例を示す図である。
【図３】利用者ＩＤカードの例を示す図である。
【図４】本発明の画像形成装置における動作の流れを示すフローチャートである。
【図５】コピー申し込み用紙の提出から、書籍のコピー、書籍の本棚への返却までの流れを示す図である。
【図６】コピー申し込み用紙の印字確認画面の例を示す図である。
【図７】コピー申し込み用紙の印字例を示す図である。
【符号の説明】
【００５０】
１  書籍
１０  ＲＦＩＤタグ
３０  利用者ＩＤカード
３１  バーコード
１００  画像形成装置
１０１ａ  アンテナ
１０１  ＲＦＩＤリーダ／ライタ
１０２  ＲＦＩＤスキャン部
１０２ａ  スキャナ
１０３  コピー許可判定部
１０４  コピー申込用紙印字処理部
１０５  印字処理部
１０６  入出力部
１０６ａ  表示部
１１０  バーコードリーダ
２０１  コピー許可書込リーダ／ライタ
２０２  コピー許可取消リーダ／ライタ
【図１】
2006153920.tif 000003
【図２】
2006153920.tif 000004
【図３】
2006153920.tif 000005
【図４】
2006153920.tif 000006
【図５】
2006153920.tif 000007
【図６】
2006153920.tif 000008
【図７】
2006153920.tif 000009